【手続補正書】
【提出日】平成20年12月10日(2008.12.10)
【手続補正１】
【補正対象書類名】明細書
【補正対象項目名】発明の名称
【補正方法】変更
【補正の内容】
【発明の名称】印刷制御装置、印刷制御方法、及びコンピュータプログラム
【手続補正２】
【補正対象書類名】特許請求の範囲
【補正対象項目名】全文
【補正方法】変更
【補正の内容】
【特許請求の範囲】
【請求項１】
予め設定されている印刷条件と、所定のアプリケーションによって生成された印刷要求とに基づいてプリンタに印刷を実行させる制御部と、
互いに異なる複数の印刷条件を記憶する記憶部と、を備え、
前記記憶部に記憶されている複数の印刷条件のそれぞれは、印刷用紙の識別情報と対応付けられていて、
前記制御部は、前記記憶部に記憶されている前記複数の印刷条件のうち、前記印刷要求に係る印刷用紙の識別情報と同一の識別情報と対応付けられている印刷条件を特定し、
前記特定された印刷条件に従って、前記予め設定されている印刷条件を変更した後、前記プリンタに印刷を実行させることを特徴とする印刷制御装置。
【請求項２】
印刷条件の登録要求を受け付ける登録画面を表示させる表示制御手段を、さらに備え、
前記制御部は、前記登録画面が登録要求を受け付けると、前記記憶部に対して印刷条件の追加登録または更新登録を行うことを特徴とする請求項１記載の印刷制御装置。
【請求項３】
前記印刷用紙の識別情報は、印刷用紙サイズまたは印刷用紙タイプを示す識別情報であることを特徴とする請求項１記載の印刷制御装置。
【請求項４】
前記印刷条件には、ロール紙をオートカッターでフルカットすることが含まれる請求項１〜３のいずれかに記載の印刷制御装置。
【請求項５】
前記制御部が、前記予め設定されている印刷条件を前記特定された印刷条件に従って変更した後に前記プリンタに印刷を実行させるか、または、前記予め設定されている印刷条件を前記特定された印刷条件に従って変更せずに前記プリンタに印刷を実行させるか、の選択が可能であることを特徴とする請求項１〜４のいずれかに記載の印刷制御装置。
【請求項６】
予め設定されている印刷条件と、所定のアプリケーションによって生成された印刷要求とに基づいてプリンタに印刷を実行させる印刷制御装置における印刷制御方法であって、
互いに異なる複数の印刷条件を、印刷用紙の識別情報とそれぞれ対応づけて記憶部に記憶するステップと、
前記記憶部に記憶されている前記複数の印刷条件のうち、前記印刷要求に係る印刷用紙の識別情報と同一の識別情報と対応付けられている印刷条件を特定するステップと、
前記特定された印刷条件に従って、前記予め設定されている印刷条件を変更した後、前記プリンタに印刷を実行させるステップと、を有する印刷制御方法。
【請求項７】
予め設定されている印刷条件と、所定のアプリケーションによって生成された印刷要求とに基づいてプリンタに印刷を実行させる印刷制御装置を構成するコンピュータに実行されると、
互いに異なる複数の印刷条件を、印刷用紙の識別情報とそれぞれ対応づけて記憶部に記憶するステップと、
前記記憶部に記憶されている前記複数の印刷条件のうち、前記印刷要求に係る印刷用紙の識別情報と同一の識別情報と対応付けられている印刷条件を特定するステップと、
前記特定された印刷条件に従って、前記予め設定されている印刷条件を変更した後、前記プリンタに印刷を実行させるステップと、を含む印刷制御処理を実行するためのコンピュータプログラム。
【請求項８】
予め設定されている印刷条件と、所定のアプリケーションによって生成された印刷要求とに基づいてプリンタに印刷を実行させるプリンタドライバのためのコンピュータプログラムであって、
コンピュータに、
前記印刷要求に係る印刷データを受け付けるステップと、
予め設定されている標準の印刷設定から、前記印刷要求に係る印刷用紙の識別情報と対応付けられている印刷設定に変更するか、または、前記予め設定されている標準の印刷設定のまま変更しないかのいずれかによって、印刷設定を決定させ、前記決定させた印刷設定に従って、前記プリンタに前記印刷データの印刷を実行させるステップと、を含む印刷制御処理を実行させるプリンタドライバのためのコンピュータプログラム。
【手続補正３】
【補正対象書類名】明細書
【補正対象項目名】０００６
【補正方法】変更
【補正の内容】
【０００６】
本発明の一実施態様に従う印刷制御装置は、予め設定されている印刷条件と、所定のアプリケーションによって生成された印刷要求とに基づいてプリンタに印刷を実行させる制御部と、互いに異なる複数の印刷条件を記憶する記憶部と、を備える。そして、前記記憶部に記憶されている複数の印刷条件のそれぞれは、印刷用紙の識別情報と対応付けられていて、前記制御部は、前記記憶部に記憶されている前記複数の印刷条件のうち、前記印刷要求に係る印刷用紙の識別情報と同一の識別情報と対応付けられている印刷条件を特定し、前記特定された印刷条件に従って、前記予め設定されている印刷条件を変更した後、前記プリンタに印刷を実行させる。
本発明の一実施態様に従う印刷制御方法は、予め設定されている印刷条件と、所定のアプリケーションによって生成された印刷要求とに基づいてプリンタに印刷を実行させる印刷制御装置における印刷制御方法であって、互いに異なる複数の印刷条件を、印刷用紙の識別情報とそれぞれ対応づけて記憶部に記憶するステップと、前記記憶部に記憶されている前記複数の印刷条件のうち、前記印刷要求に係る印刷用紙の識別情報と同一の識別情報と対応付けられている印刷条件を特定するステップと、前記特定された印刷条件に従って、前記予め設定されている印刷条件を変更した後、前記プリンタに印刷を実行させるステップと、を有する。
本発明の一実施態様に従うコンピュータプログラムは、予め設定されている印刷条件と、所定のアプリケーションによって生成された印刷要求とに基づいてプリンタに印刷を実行させる印刷制御装置における印刷制御方法であって、互いに異なる複数の印刷条件を、印刷用紙の識別情報とそれぞれ対応づけて記憶部に記憶するステップと、前記記憶部に記憶されている前記複数の印刷条件のうち、前記印刷要求に係る印刷用紙の識別情報と同一の識別情報と対応付けられている印刷条件を特定するステップと、前記特定された印刷条件に従って、前記予め設定されている印刷条件を変更した後、前記プリンタに印刷を実行させるステップと、を有する。
本発明の一実施態様に従うプリンタドライバのためのコンピュータプログラムは、予め設定されている印刷条件と、所定のアプリケーションによって生成された印刷要求とに基づいてプリンタに印刷を実行させるプリンタドライバのためのコンピュータプログラムであって、コンピュータに、前記印刷要求に係る印刷データを受け付けるステップと、予め設定されている標準の印刷設定から、前記印刷要求に係る印刷用紙の識別情報と対応付けられている印刷設定に変更するか、または、前記予め設定されている標準の印刷設定のまま変更しないかのいずれかによって、印刷設定を決定させ、前記決定させた印刷設定に従って、前記プリンタに前記印刷データの印刷を実行させるステップと、を含む印刷制御処理を実行させる。

【手続補正４】
【補正対象書類名】明細書
【補正対象項目名】０００９
【補正方法】変更
【補正の内容】
【０００９】
好適な実施形態では、前記印刷用紙の識別情報は、印刷用紙サイズまたは印刷用紙タイプを示す識別情報であってもよい。
好適な実施形態では、前記印刷条件には、ロール紙をオートカッターでフルカットすることが含まれていてもよい。
好適な実施形態では、前記制御部が、前記予め設定されている印刷条件を前記特定された印刷条件に従って変更した後に前記プリンタに印刷を実行させるか、または、前記予め設定されている印刷条件を前記特定された印刷条件に従って変更せずに前記プリンタに印刷を実行させるか、の選択が可能であってもよい。